(57)【特許請求の範囲】
【請求項１】
一対の脚枠を互いに接近、離間自在に設け、この脚枠の中央部と下部が連結杆で連結され、各連結杆が物干し具の中央で、リンクバーの上下端の枢着部に回動可能に枢着され、中央部に設けられた一方の連結杆に一対の連結杆に亘る大きさの物干し枠が摺動可能に設けられ、この物干し枠に設けられた係止具が他方の連結杆の上面に当接されることにより連結杆が水平状体を保持することができるようになされたことを特徴とする物干し具。
【請求項２】
リンクバーに補強杆の一端が回動可能に設けられ、この補強杆の他端が下部の連結杆に摺動自在に取り付けられたことを特徴とする請求項１記載の物干し具。
【発明の詳細な説明】
【技術分野】
【０００１】
本発明は、主として屋内で洗濯物を干すために用いられる物干し具に関し、特に不使用時の収納性に優れる物干し具に関する。
【背景技術】
【０００２】
従来、折り畳み式物干し具として、例えば特開２０００−２４５９９７号公報には、一対の側脚枠を相互に接近離間移動自在に対向配置すると共に各側脚枠の上下位置にそれぞれ上連結枠及び下連結枠を水平状態に枢着突設し、該各上連結枠の対向端部及び各下連結枠の対向端部間にそれぞれ上リンク及び下リンクを枢着架設し、該上リンクと下リンクとの間に垂直杆を固定架設し、かつ、一方の上連結枠と他方の下連結枠との間及び一方の下連結枠と他方の下連結枠との間にそれぞれ接続リンクをＸ状に枢着架設し、該一対の接続リンクの中程部に該一対の接続リンクを開閉動作自在に枢着連結する枢軸を配設し、該上連結枠及び下連結枠を水平状態に保持可能な保持機構を配設して構成した折り畳み式物干し具が提案されている。
【特許文献１】特開２０００−２４５９９７号
【発明の開示】
【発明が解決しようとする課題】
【０００３】
しかしながら上記の如き特開２０００−２４５９９７号に提案されている物干し具においては、使用時において、一対の対向配置された側脚枠を相互に離間移動させると、各側脚枠の上下位置にそれぞれ枢着突設された上連結枠及び下連結枠はＸ状の接続リンクにより下向き回動し、更なる回動により上連結枠及び下連結枠が水平状態となり、保持機構により上連結枠及び下連結枠の水平状態が保持されて展開状態となり、側脚枠により洗濯物や布団を掛けて干すことになり、又、不使用時において、一対の対向配置された側脚枠を相互に接近移動させると、各側脚枠の上下位置にそれぞれ枢着突設された上連結枠及び下連結枠はＸ状の接続リンクにより上向き回動し、更なる上向き回動により、上連結枠及び下連結枠は略垂直状に並列した折り畳み状態となり、この際、各上連結枠の対向端部及び各下連結枠の対向端部間にそれぞれ上リンク及び下リンクを枢着架設し、該上リンクと下リンクとの間に垂直杆を固定架設し、Ｘ状の一対の接続リンクの中程部に一対の接続リンクを開閉動作自在に枢着連結する枢軸を配設しているから、一対の接続リンクは枢軸により連結され、枢軸を中心として開閉動作し、よって、対向一対の上連結枠及び下連結枠の上向き及び下向き回動が同期され、それだけ折り畳み及び展開動作を円滑に行うことができるという効果を奏するものの、上連結枠と下連結枠の間に垂直杆とＸ状の接続リンクが設けられているので、上連結枠や上連結枠近傍の物干し杆に洗濯物を干したときに洗濯物がＸ状の接続リンクの上部に接触しやすく、上連結枠に洗濯物を干しにくいという問題があった。又、上連結枠が左右に分割されているので、バスタオルなどの大形の洗濯物をこの部分に干しにくいという問題があった。
【０００４】
そこで本発明者は従来の欠点に鑑み鋭意研究の結果、収納時に折り畳みが容易で、使用時に上部の竿受けに掛けられた竿以外に中段の物干し枠が使いやすい物干し具を提供するものである。
【課題を解決するための手段】
【０００５】
本発明請求項１記載の物干し具は、一対の脚枠を互いに接近、離間自在に設け、この脚枠の中央部と下部が連結杆で連結され、各連結杆が物干し具の中央で、リンクバーの上下端の枢着部に回動可能に枢着され、中央部に設けられた一方の連結杆に一対の連結杆に亘る大きさの物干し枠が摺動可能に設けられ、この物干し枠に設けられた係止具が他方の連結杆の上面に当接されることにより連結杆が水平状体を保持することができるようになされたことを特徴とするもので、物干し具が収納状態と展開状態をとることが容易にできる。
【０００６】
本発明請求項２記載の物干し具は、リンクバーに補強杆の一端が回動可能に設けられ、この補強杆の他端が下部の連結杆に摺動自在に取り付けられたもので、物干し具を展開して使用するときに補強杆が捻れ難く、しっかりする。
【発明の効果】
【０００７】
本発明物干し具は、一対の脚枠を互いに接近、離間自在に設け、この脚枠の中央部と下部が連結杆で連結され、各連結杆が物干し具の中央で、リンクバーの上下端の枢着部に回動可能に枢着され、中央部に設けられた一方の連結杆に一対の連結杆に亘る大きさの物干し枠が摺動可能に設けられ、この物干し枠に設けられた係止具が他方の連結杆の上面に当接されることにより連結杆が水平状体を保持することができるようになされているので、物干し具が収納状態と展開状態をとることが容易にできる。又、物干し枠が一対の連結杆に亘って設けられるので、バスタオルなどの大形の洗濯物も干すことができる。
【０００８】
本発明請求項２記載の物干し具は、リンクバーに補強杆の一端が回動可能に設けられ、この補強杆の他端が下部の連結杆に摺動自在に取り付けられたもので、物干し具を展開して使用するときに補強杆が捻れ難く、しっかりする。又、リンクバーの上部に補強杆を設ける必要がないので、物干し枠に干した洗濯物と補強杆が干渉することがなく洗濯物が干しやすい。
【発明を実施するための最良の形態】
【０００９】
図１は本発明物干し具の実施形態の一例を示す斜視図である。
図に於いて、支柱１１の上端は上横桟１２で連結され、支柱１１の下端は下横桟１３で連結されて脚枠１となされている。一対の脚枠１の下部と中央部が中央が回動自在に枢着された連結杆により連結されている。中央部の連結杆２１、２２と下部の連結杆２３，２４の連結部はリンクバー３で連結され、各連結杆の連結部は何れも回動可能となされている。支柱１１上端の上横桟１２には竿受け部６が設けられ、物干し竿７を支持するようになされている。左右の脚枠１間に亘って、物干し竿７が掛け渡され、洗濯物が干せるようになされている。
【００１０】
リンクバー３の中央部には補強杆４の端部が回動可能に取り付けられて回動取付部３１となされ、この補強杆４の他方の端部は下部の連結杆２３、２４に摺動自在に取り付けられて摺動係合部３２となされている。図に於いて左側の中央部の連結杆２１には物干し枠５が左右に摺動自在に物干し枠固定具５２を介して取り付けられている。この物干し枠５の右側縁部には、係止具５１が設けられ、中央部右側の連結杆２２の上面にこの係止具５１が当接されて物干し枠５が係止され、連結杆２１、２２、２３、２４及び物干し枠５が水平状態を保持されるようになされている。係止具の詳細な一実施形態と連結杆２２への当接する様子を図６に示す。
【００１１】
脚枠１は下端にキャスターが設けられ、左右の脚枠１が互いに接近、離間できるようになされている。脚枠１の上端には竿受け部６が設けられ、物干し竿７を支持するようになされている。脚枠１を構成する夫々の支柱１１は中央部が中横桟１４で連結されている。支柱１１は上部支柱１１１と下部支柱１１２からなり、上部支柱１１１は下部支柱１１２内に伸縮自在に挿入されている。下部支柱１１２の上端には上部支柱係止具１５が設けられ、上部支柱１１１の伸縮長さを適宜設定できるようになされている。図５のイは上部支柱の固定状態をロは伸縮可能状態を示す斜視図である。上部支柱係止具１５は、図５に示すように基部１５１が中横桟１４の端部に設けられ、この基部１５１に開閉自在に係止部１５２が設けられている。この係止部１５２には円柱状の突起が設けられ、上部支柱１１１の側壁に設けられた透孔に嵌合し、上部支柱１１１を係止するようになされている。右側の脚枠１の側壁には物干し竿収納部８が設けられ、物干し具の不使用時に物干し竿７が収納できるようになされている。
【００１２】
次ぎに図２〜４を基にこの物干し具の収納（折り畳み）方法について説明する。図２に示すように、物干し枠５を左方向にスライドさせ、図３に示すように、左右の連結杆の枢着部３３を上方に持ち上げると、左右の連結杆が枢着部３３を軸に山形に屈曲され、左右の脚枠１が互いに接近して図４に示すように折り畳まれるようになされている。左右の連結杆が山形に屈曲されるとリンクバー３に設けられた左右の補強杆４の下端が下部の連結杆２３、２４の中央に寄り左右の連結杆が折り畳まれる。物干し枠５が左方向にスライド移動されているので折り畳んだ状態で、物干し枠５が上方に突出することがなくコンパクトになる。
【００１３】
物干し具を使用するときには、前記収納時の動作とは逆に、図４の収納状態から左右連結杆２１、２２の枢着部３３をしたに押し下げると左右の連結杆２１、２２が水平状態になると共に左右の脚枠１が離間する方向に移動する。左右の連結杆が水平状態になると物干し枠５の側縁に設けられた係止具５１が右側の連結杆２２の上面に当接され、連結杆２１、２２が水平状態より下方に移動しないように規制する。
【図面の簡単な説明】
【００１４】
【図１】本発明物干し具の実施形態の一例を示す斜視図である。
【図２】図１の状態から支柱を縮め、物干し枠をスライドした状態を示す斜視図である。
【図３】図２の状態から連結杆を山形に屈曲させ、収納状態へ移行する過程を示す斜視図である。
【図４】本発明物干し具の収納状態を示す斜視図である。
【図５】本発明物干し具における支柱の伸縮、固定状態を説明する中横桟端部の斜視図である。
【図６】本発明物干し具ににおいて物干し枠の縁部に設けられた係止具が連結杆に当接されるのを説明する要部の拡大斜視図である。
【符号の説明】
【００１５】
１    脚枠
１１  支柱
１１１  上部支柱
１１２  下部支柱
１２  上横桟
１３  下横桟
１４  中横桟
２１  連結杆
２２  連結杆
２３  連結杆
２４  連結杆
３    リンクバー
３１  回動取付部
３２  摺動係合部
３３  枢着部
４    補強杆
５    物干し枠
５１  係止具
５２  物干し枠固定具
６    竿受け部
７    物干し竿
８    物干し竿収納部
【図１】
0004668115.tif 000002
【図２】
0004668115.tif 000003
【図３】
0004668115.tif 000004
【図４】
0004668115.tif 000005
【図５】
0004668115.tif 000006
【図６】
0004668115.tif 000007